(57)【要約】【課題】表示画像の輪郭部のジャギー（ギザギザ感）を解消して、表示画像の輪郭部の形状を滑らかに形成することが可能な画像表示媒体および画像表示方法を提供する。【解決手段】互いに交差する一対の対向電極である表面側電極２２及び背面側電極３２のうち、背面側電極３２を、複数の８角形の珠が直列に連結した数珠状の形状を有するデータ主電極３２ａと、データ主電極３２ａ間に相補的に配置された数珠状の形状を有するデータ補助電極３２ｂとから構成する。【選択図】図２
2007279353.tif 000002
【特許請求の範囲】
【請求項１】
所定方向に配置された複数の表面側電極を有する表面基板と、前記表面基板と一対に対向配置された、前記所定方向と交差する方向に配置された複数の背面側電極を有する背面基板と、前記表面側電極及び前記背面側電極間の交差空間に形成された電界により前記交差空間を移動して前記表面基板側で視認可能な表示画像を形成する帯電性粒子とを備えた画像表示媒体であって、
前記複数の表面側電極と複数の前記背面側電極のうち、いずれか一方は、多角形または円からなる珠を直列に連結した数珠形状を有する複数の数珠状電極からなる第１の電極群と、前記第１の電極群の前記数珠電極と交互に配置された前記数珠電極の群からなり、前記第１の電極群と相補的な配置関係にある第２の電極群と、から構成されたことを特徴とする画像表示媒体。
【請求項２】
前記第１および第２の電極群を構成する前記複数の数珠状電極は、前記数珠状電極の長手方向と直角な方向に等間隔に配列し、前記数珠状電極の前記珠は、前記数珠上電極の長手方向に等間隔に配列したことを特徴とする請求項１に記載の画像表示媒体。
【請求項３】
前記第１および第２の電極群を構成する前記複数の数珠状電極の前記複数の珠は、回転対称性を有することを特徴とする請求項２に記載の画像表示媒体。
【請求項４】
前記回転対称性は、２回対称であることを特徴とする請求項３に記載の画像表示媒体。
【請求項５】
前記第１の電極群は、前記数珠電極の長手方向に直角な方向に並進対称性を有する前記複数の数珠電極からなり、
前記第２の電極群は、前記第１の電極群を長手方向に前記数珠状電極の前記珠の配置ピッチの半分ずらし、長手方向に直角な方向に前記第１の電極群の隣接する前記数珠状電極の配置ピッチの半分ずらした位置に設けられた前記複数の数珠状電極からなることを特徴とする請求項４に記載の画像表示媒体。
【請求項６】
前記複数の表面電極と前記複数の背面電極のうち、いずれか一方が前記第１および第２の電極群からなり、他方が前記第１および第２の電極群を構成する前記複数の数珠状電極の前記複数の珠の配置ピッチに対応したピッチで配置された複数の帯状電極からなることを特徴とする請求項１に記載の画像表示媒体。
【請求項７】
前記帯電性粒子は、色及び帯電性が異なる複数種類の粒子群であることを特徴とする請求項１に記載の画像表示媒体。
【請求項８】
走査電極を有する第１の基板と、データ主電極とデータ補助電極を交互に並べてなるデータ電極を有する第２の基板と、前記第１の基板と前記第２の基板の間に封入された帯電性粒子と、を備えた画像表示媒体の画像表示方法であって、
前記データ主電極と前記走査電極の間に電圧を印加し、前記帯電性粒子を移動させて表示画像を表示する第１のステップと、
前記第１のステップの前または後に、前記データ補助電極と前記走査電極の間に電圧を印加し、前記帯電性粒子を移動させて前記表示画像の濃度を補完する第２のステップと、
を含むことを特徴とする画像表示媒体の画像表示方法。
【発明の詳細な説明】
【技術分野】
【０００１】
本発明は、画像表示媒体および画像表示方法に関する。さらに詳しくは、複数の画素を２次元状にマトリクス配置して構成される表示画像の輪郭部のジャギー（ギザギザ感）を解消して、表示画像の輪郭部の形状を滑らかに形成することが可能な画像表示媒体および画像表示方法に関する。
【背景技術】
【０００２】
従来、電子ペーパー等の書き換えが可能な画像表示媒体として、トナー粒子の電界中の移動を用いたものや電気泳動、磁気泳動を用いたものが知られている。このような画像表示媒体を単純マトリックス（ＰＭ）駆動する場合、帯状の表面側電極と背面側電極とを互いに交差するように配置するため、電極幅に対応した１画素を表示するとき表面側電極の幅方向の画素のエッジ（輪郭部）がシャープになり、逆に、表面側電極の長手方向には電界が隣の電極まで及ぶため、クロストークによって隣の画素に粒子が移動して、画素のエッジ（輪郭部）がボケてしまうという不都合がある。このように、表示画像の形成時に、方向性に基づく差異が発生するため表示画像に不自然さを感じさせるという不都合がある。このような不都合を解消するため、画像表示に寄与する表示側電極及び背面側電極だけでなく、画像表示に寄与しない表示側電極及び背面側電極にも電圧を印加することにより、粒子を移動させる必要がない位置で粒子が移動してしまうのを防いで画素のエッジ（輪郭部）をシャープにし、高解像度で画像表示することができる画像表示装置が提案されている（例えば、特許文献１等参照）。
【特許文献１】特開２００３−８４３１８号公報
【発明の開示】
【発明が解決しようとする課題】
【０００３】
しかしながら、特許文献１に記載されたような発明の場合、画素のエッジ（輪郭部）をシャープにすることによって、表示画像のエッジ（輪郭部）にジャギー（ギザギザ感）が発生し、不自然さを感じさせることになるという問題がある。なお、発光型表示媒体の場合は透過光等により画素をぼかしてジャギー（ギザギザ感）を緩和させることができるが、反射型表示媒体の場合、非透光性の粒子を用いた表示であることからジャギー（ギザギザ感）を緩和させることは極めて困難である。
【０００４】
本発明は、上述の問題に鑑みてなされたものであり、表示画像のコントラストを高く保持した状態で、表示画像の輪郭部のジャギー（ギザギザ感）を解消して、表示画像の輪郭部の形状を滑らかに形成することが可能な画像表示媒体および画像表示方法を提供することを目的とする。
【課題を解決するための手段】
【０００５】
上記目的を達成するため、本発明の一態様によれば以下の画像表示媒体または画像表示方法が提供される。
【０００６】
［１］所定方向に配置された複数の表面側電極を有する表面基板と、前記表面基板と一対に対向配置された、前記所定方向と交差する方向に配置された複数の背面側電極を有する背面基板と、前記表面側電極及び前記背面側電極間の交差空間に形成された電界により前記交差空間を移動して前記表面基板側で視認可能な表示画像を形成する帯電性粒子とを備えた画像表示媒体であって、前記複数の表面側電極と複数の前記背面側電極のうち、いずれか一方は、多角形または円からなる珠を直列に連結した数珠形状を有する複数の数珠状電極からなる第１の電極群と、前記第１の電極群の前記数珠電極と交互に配置された前記数珠電極の群からなり、前記第１の電極群と相補的な配置関係にある第２の電極群と、から構成されたことを特徴とする画像表示媒体。
【０００７】
このように、表面側電極と背面側電極のいずれか一方を、数珠形状の第１および第２の電極群とから構成することによって、表示画像のコントラストを高く保持した状態で、表示画像の輪郭部のジャギー（ギザギザ感）を解消して、輪郭部の形状を滑らかに形成することができる。
【０００８】
［２］前記第１および第２の電極群を構成する前記複数の数珠状電極は、前記数珠状電極の長手方向と直角な方向に等間隔に配列し、前記数珠状電極の前記珠は、前記数珠上電極の長手方向に等間隔に配列したことを特徴とする［１］に記載の画像表示媒体。
【０００９】
［３］前記第１および第２の電極群を構成する前記複数の数珠状電極の前記複数の珠は、回転対称性を有することを特徴とする請求項２に記載の画像表示媒体。
【００１０】
［４］前記回転対称性は、２回対称であることを特徴とする請求項３に記載の画像表示媒体。
【００１１】
［５］前記第１の電極群は、前記数珠電極の長手方向に直角な方向に並進対称性を有する前記複数の数珠電極からなり、前記第２の電極群は、前記第１の電極群を長手方向に前記数珠状電極の前記珠の配置ピッチの半分ずらし、長手方向に直角な方向に前記第１の電極群の隣接する前記数珠状電極の配置ピッチの半分ずらした位置に設けられた前記複数の数珠状電極からなることを特徴とする請求項４に記載の画像表示媒体。これにより、第１および第２の電極群を密に敷き詰めて配置することができる。
【００１２】
［６］前記複数の表面電極と前記複数の背面電極のうち、いずれか一方が前記第１および第２の電極群からなり、他方が複数の帯状電極からなることを特徴とする請求項１に記載の画像表示媒体。
【００１３】
［７］前記帯電性粒子は、色及び帯電性が異なる複数種類の粒子群であることを特徴とする前記［１］に記載の画像表示媒体。これにより、前記画像表示装置により、２色以上の表示を行うことができる。画像表示媒体は、例えば、気体の媒体中に粒子を配設したトナーディスプレイ型、液体の媒体中に粒子を配設した電気（磁気）泳動型の表示媒体を用いることができる。
【００１４】
［８］走査電極を有する第１の基板と、データ主電極とデータ補助電極を交互に並べてなるデータ電極を有する第２の基板と、前記第１の基板と前記第２の基板の間に封入された帯電性粒子と、を備えた画像表示媒体の画像表示方法であって、前記データ主電極と前記走査電極の間に電圧を印加し、前記帯電性粒子を移動させて表示画像を表示する第１のステップと、前記第１のステップの前または後に、前記データ補助電極と前記走査電極の間に電圧を印加し、前記帯電性粒子を移動させて前記表示画像の濃度を補完する第２のステップと、を含むことを特徴とする画像表示媒体の画像表示方法。
【００１５】
このように、表示画像を表示するステップと、表示画像の濃度を補完するステップを用いることにより、表示画像（画素）のコントラストを高く保持した状態で、表示画像（画素）の輪郭部のジャギー（ギザギザ感）を解消して、輪郭部の形状を滑らかに形成することができる。
【発明の効果】
【００１６】
本発明によれば、表示画像のコントラストを高く保持した状態で、輪郭部のジャギー（ギザギザ感）を解消して、表示画像の輪郭部の形状を滑らかに形成することが可能になる。
【発明を実施するための最良の形態】
【００１７】
［第１の実施の形態］
（画像表示媒体の構成）
図１は、本発明の第１の実施の形態に係る画像表示媒体を示す断面図である。本実施の形態の画像表示媒体１は、図１に示すように、表面基板部材２１、表面基板部材２１上に所定方向に配置された表面側電極２２、及び表面側電極２２を保護するとともに後述する帯電性粒子６（白色粒子６Ａ，黒色粒子６Ｂ）の帯電特性を安定化させる誘電体膜２３とを有する表面基板２と、表面基板２と一対に対向配置された、背面基板部材３１、背面基板部材３１上に形成された、上述の所定方向と交差する方向に配置された背面側電極３２、及び背面側電極３２を保護するとともに帯電性粒子６（白色粒子６Ａ，黒色粒子６Ｂ）の帯電特性を安定化させる誘電体膜３３とを有する背面基板３と、表面基板２及び背面基板３間に仕切り部材５を配設することによって形成された複数のセル４内部に封入され、表面側電極２２及び背面側電極３２間の交差空間に形成された電界によりセル４の内部を移動して表面基板２側で視認可能な表示画像を形成する帯電性粒子６（白色粒子６Ａ，黒色粒子６Ｂ）と、画像記憶部１０に記憶されている画像データに基づいて電圧印加部８を制御して表面側電極２２と背面側電極３２との間に電圧を印加する制御部９と、を備えた構成を有している。
【００１８】
表面基板２は、透明ガラス基板等からなる表面基板部材２１と、表面基板部材２１上に形成されたインジウム錫酸化物（ＩＴＯ）等からなる透明な複数の帯状電極である表面側電極２２と、表面側電極２２を保護するとともに粒子６Ａ，６Ｂの帯電特性を安定化させるポリカーボネート等からなる誘電体膜２３とを積層して構成されている。
【００１９】
表面基板部材２１には、上記透明ガラス基板の他に、透光性を有する透明プラスチック基板，ポリカーボネート樹脂，アクリル樹脂，ポリイミド樹脂，ポリエステル樹脂等を用いることができる。
【００２０】
表面側電極２２には、上記ＩＴＯの他に、透光性を有する、インジリウム，錫，カドミニウム，アンチモン等の酸化物、これらの複合酸化物、金，銀，銅，炭素，ニッケル等の単層膜、混合膜、又は複合膜を蒸着法又はスパッタリング法で１００〜２０００オングストロームの厚さとしたもの、又はポリピロール，ポリチオフェン等の有機導電性材料等を用いることができる。
【００２１】
誘電体膜２３には、セル４に封入する粒子６Ａ，６Ｂの帯電特性に応じて、ポリカーボネート、ポリエステル、ポリイミド、エポキシ、ポリイソシアネート、ポリアミド、ポリビニルアルコール、ポリブタジエン、ＰＭＭＡ、共重合ナイロン、紫外硬化アクリル樹脂、非晶質テフロン（登録商標）等を用いることができる。誘電体膜２３を構成する絶縁性材料中に電荷輸送物質を含有させたものも用いることができる。電荷輸送物質を含有させることにより、粒子６Ａ，６Ｂへの電荷注入による粒子帯電性の向上や、粒子６Ａ，６Ｂの帯電量が極度に大きくなった場合に粒子６Ａ，６Ｂの電荷を漏洩させ、粒子６Ａ，６Ｂの帯電量を安定させる等の効果を得ることができる。
【００２２】
背面基板３は、エポキシ樹脂等からなる背面基板部材３１と、背面基板部材３１上に形成された銅等からなる背面側電極３２と、背面側電極３２を保護するとともに粒子６Ａ，６Ｂの帯電特性を安定化させるポリカーボネート等からなる誘電体膜３３とを積層して構成されている。なお、背面基板部材３１として、表面基板２の表面基板部材２１と同様の基板を用いてもよい。誘電体膜３３には、表面基板３の誘電体膜２３と同様に、セル４に封入する粒子６Ａ，６Ｂの帯電特性に応じた材料を用いることができる。
【００２３】
仕切り部材５には、上記熱硬化性樹脂の他に、熱可塑性樹脂、電子線硬化樹脂、光硬化性樹脂、ゴム等の絶縁性材料を用いることができる。なお、セル４の内部には空気等の気体が充填されている。また、仕切り部材５と表面基板２（仕切り部材５を表面基板２側に設けた場合には、仕切り部材５と背面基板３）とを固着するために、接着剤（封止剤）７が配設されている。このような接着剤（封止剤）７としては、例えば、加熱によって粘着性が付与される熱可塑性接着剤，熱活性型接着剤等の感熱接着剤、加圧によって粘着性が付与される感圧接着剤、紫外線（ＵＶ）あるいは可視光照射によって粘着性が付与される感光接着剤等を用いることができる。
【００２４】
白色粒子６Ａと黒色粒子６Ｂは、例えば、相互の摩擦による摩擦帯電により、互いに異なる極性に帯電する。ここでは、白色粒子６Ａは負に帯電しており、黒色粒子６Ｂは正に帯電している。例えば、基板内側誘電体膜がポリカーボネート樹脂（ＰＣ）である場合、白色粒子６Ａの平均帯電量は−１６ｆＣ、黒色粒子６Ｂの平均帯電量は＋１６ｆＣである。
【００２５】
制御部９は、ＣＰＵ、ＲＯＭ、ＲＡＭ、走査信号発生回路等を備えて構成されている。ＣＰＵは、ＲＯＭに格納された制御プログラムに従って電圧印加部８を制御して、画像記憶部１０に記憶された画像データに基づいて、画素に対応する表面側電極２２と背面側電極３２との間に電圧を印加させる。なお、画像記憶部１０は、ＣＤ−ＲＯＭや書き替え可能なフラッシュメモリ等の記録媒体、あるいはＬＡＮ（Ｌｏｃａｌ  Ａｒｅａ  Ｎｅｔｗｏｒｋ）等のネットワークを介して画像データを入力してもよい。
【００２６】
電圧印加部８、制御部９、および画像記憶部１０の一部又は全部は、外部装置として表示装置２００に接続できる形態であってもよい。
【００２７】
図２は、第１の実施の形態に係る画像表示媒体の電極構造の一部を示す平面図であり、図３は、図２に示した画像表示媒体のＡ−Ａ線断面図である。図２、３に示すように、背面側電極３２は、複数の８角形の珠が直列に連結した数珠状の形状を有するデータ主電極３２ａと、データ主電極３２ａ間に相補的に配置された、データ主電極３２ａと同様の形状を有するデータ補助電極３２ｂとから構成されている。なお、数珠の珠の形状は、８角形に限らず、２回対称性を有する多角形、または円であってもよい。
【００２８】
図４は、１つの画素に対応するデータ主電極から発生する電界の方向を表す平面図であり、図５は、その側面図である。データ主電極３２ａは、各画素の四隅に対応する部分が削れた形状を有するため、表面側電極２２とデータ種電極３２ａとの間に電圧を印加すると、データ主電極３２ａから表面側電極２２の各画素の四隅に対応する部分へ向かって、各画素の中心付近に対応する部分へ向かう電界よりも弱い電界が、放射状に拡散するように形成される。なお、印加電圧の方向により図中の矢印は逆方向に向く。
【００２９】
このため、表面側電極２２の各画素の四隅に対応する部分へ移動する帯電性粒子６（白色粒子６Ａ，黒色粒子６Ｂ）が、各画素の中心付近に対応する部分へ移動するよりも少なくなり、帯電性粒子６の隣接した画素への移動が抑制され、画素の輪郭部のジャギーが解消される。
【００３０】
（画像表示媒体の製造方法）
次に、この第１の実施の形態に係る画像表示媒体１の製造方法の一例を説明する。
【００３１】
（１）各部の作製
表面基板２は、例えば、１．１ｍｍ厚さの透明ガラスからなる表面基板部材２１上にＩＴＯ膜をスパッタリングし、これを複数の帯状のパターンにエッチングして表面側電極２２を形成し、これらの表面側電極２２上にトルエン９７重量部に対してポリカーボネート樹脂３重量部を溶解させた溶液をディップコートし、乾燥して２μｍ厚さのポリカーボネート膜からなる誘電体膜２３を形成することにより作製する。
【００３２】
背面基板３は、例えば、０．６ｍｍ厚さのエポキシ基板からなる背面基板部材３１上に銅膜を貼り合せ、これを、数珠状の形状にエッチングして背面側電極３２（データ主電極３２ａ及びデータ補助電極３２ｂ）を形成し、これらの背面側電極３２上にトルエン９７重量部に対してポリカーボネート樹脂３重量部を溶解させた溶液をディップコートし、乾燥して２μｍ厚さのポリカーボネート膜からなる誘電体膜３３を形成することにより作製する。
【００３３】
仕切り部材５は、例えば、背面基板３の誘電体膜３３上に熱硬化性樹脂からなるインクをパターン印刷し、オーブン中で１１０℃に加熱して焼成を行う処理を、仕切り部材５が所望の高さになるまで複数回繰り返すことにより背面基板３上に作製し、背面基板３上に粒子６Ａ，６Ｂが収容される凹部を形成する。
【００３４】
白色粒子６Ａは、例えば、体積平均粒径２０μｍの酸化チタン含有架橋ポリメチルメタクリレートの球状微粒子（積水化成品工業（株）製、テクポリマーＭＢＸ−２０−ホワイトを分級）１００重量部にイソプロピルトリメトキシシラン処理したチタニアの微粉末０．４重量部を外添して得る。シラン処理されたチタニアの微粉末は、粒子の帯電性を適性レベルに抑制し、粒子の流動性を高いレベル保つ作用がある。シラン処理されたチタニアの微粉末の添加量は、白色粒子６Ａの径と微粉末の径とにより適宜調整される。添加量が多過ぎると白色粒子６Ａの表面から遊離する微粉末が発生し、これらが黒色粒子６Ｂの表面に付着すると、黒色粒子６Ｂの帯電極性が白色粒子６Ａの帯電極性と同様となり、黒色粒子６Ｂが白色粒子６Ａと同方向へ移動するので好ましくない。粒子１００重量部に対するチタニアの量は、好ましくは０．０５〜１．０重量部、さらに好ましくは０．１〜０．５重量部である。
【００３５】
黒色粒子６Ｂは、例えば、体積平均粒径２０μｍのカーボン含有架橋ポリメチルメタクリレートの球状微粒子（積水化成品工業（株）製、テクポリマーＭＢＸ−２０−ブラックを分級）を用いる。
【００３６】
（２）各部の組立て
上記のようにして作製された表面基板２、背面基板３、仕切り部材５及び粒子６Ａ，６Ｂの組立てを説明する。
【００３７】
背面基板３上に形成された仕切り部材５の上面、又は仕切り部材５の上面に接する表面基板３の面に接着層７をスクリーン印刷、ロール印刷、転写等を用いて塗布し、接着層７を乾燥させ接着層７を固化させる。
【００３８】
次に、帯電した白色粒子６Ａと、この白色粒子６Ａと反対の極性に帯電した黒色粒子６Ｂを所定の重量比、例えば、２対１の割合で混合し、これらを背面基板３上に仕切り部材５によって形成された凹部にスクリーンを通して振るい落とす。仕切り部材５上面に付着した白色粒子６Ａ及び黒色粒子６Ｂは、シリコンゴム製ブレードで除去する。
【００３９】
表面基板２の誘電体膜２３側と背面基板３の仕切り部材５が形成されている側である誘電体膜３３側とを重ねて位置合わせし、クランプ又は周辺部を接着することにより固定する。
【００４０】
次に、外部から接着層７に加熱等の刺激を与えて接着層７に粘着性を付与し、次に、接着層７を冷却して固化させ、これにより仕切り部材５と表面基板２とを接合する。
【００４１】
（画像表示媒体への画像書込み動作）
本実施の形態の画像表示媒体１は、例えば、単純マトリックス駆動によって画像表示されるものであり、表面基板２の表面側電極２２に正の電位、また、背面基板３の背面側電極３２に負の電位が掛かるように、所定の電圧印加部から電圧（例えば、ＤＣ＋２００Ｖ）を印加すると、白色粒子６Ａは負に帯電しているため、表面基板２側に移動し、黒色粒子６Ｂは正に帯電しているため、背面基板３側に移動する。なお、表面側電極２２に負の電位がかかるように電圧印加部から電圧（例えば、ＤＣ−２００Ｖ）を印加すると、白色粒子６Ａは負に帯電しているため、背面基板３側に移動し、黒色粒子６Ｂは正に帯電しているため、表面基板２側に移動することになる。
【００４２】
この状態において、表面側電極２２への電圧の印加が停止されても、誘電体膜２３，３３との間に静電付着力が維持されるため、白色粒子６Ａは表面基板２側に保持され、黒色粒子６Ｂは背面基板３側に保持される。
【００４３】
電圧の印加は、データ主電極３２ａにデータ主信号、データ補助電極３２ｂにデータ補助信号、表面側電極２２に走査信号を供給することにより行う。
【００４４】
図６Ａ（ａ）〜（ｃ）、図６Ｂ（ｄ）〜（ｅ）は、画像書込み動作時における画像表示媒体の部分拡大図（６×６＝３６画素分）である。
【００４５】
まず、図６Ａ（ａ）に示すように、画像記憶部１０に記憶された画像データに基づいて、制御部９が電圧印加部８を制御してデータ主電極３２ａにデータ主信号を、表面側電極２２に走査信号を供給して両電極間に電圧を印加し、所定の画像（白地に黒）を書き込む。この状態では、データ主電極３２ａが各画素の四隅に対応する部分が削れた形状を有するため、各画素の四隅の濃度が低くなっている。これにより、書き込んだ画像の輪郭部分においては、ジャギーを抑えた自然な表示となる。一方、画像の内部（黒が表示された画素が隣接する部分）においては、表示濃度が不十分となるおそれがある。
【００４６】
そこで、データ補助電極３２ｂにデータ補助信号を、表面側電極２２に走査信号を供給して両電極間に電圧を印加し、書き込んだ画像の濃度の補完を行う。図６Ａ（ｂ）〜（ｃ）、図６Ｂ（ｄ）〜（ｅ）は、それぞれ走査信号が紙面の上から下方向に一行ずつ走査される過程を示している。
【００４７】
図６Ａ（ｂ）は、図中の上から２行目まで走査された状態を示しており、２行目における隣接する黒が表示された画素の隣接部分の濃度が補完されている。なお、この際に、画像の輪郭部分のジャギーを抑えるために、隣接部分以外の部分は濃度の補完を行わない。
【００４８】
同様に、図６Ａ（ｃ）、図６Ｂ（ｄ）〜（ｅ）に示すように、３〜５行目まで走査信号が走査され、３〜５行目における隣接する黒が表示された画素の隣接部分の濃度が補完される。
【００４９】
（第１の実施の形態の効果）
第１の実施の形態によれば、背面側電極３２を、数珠形状のデータ主電極３２ａおよびデータ補助電極３２ｂにより構成することによって、表示画像（画素）のコントラストを高く保持した状態で、表示画像（画素）の輪郭部のジャギー（ギザギザ感）を解消して、表示画像（画素）の輪郭部の形状を滑らかに形成することができる。
【００５０】
［第２の実施の形態］
図７は、第２の実施の形態に係る画像表示媒体の電極構造の一部を示す平面図である。第２の実施の形態は、データ主電極３２ａ、およびデータ補助電極３２ｂの形状において第１の実施の形態と異なる。同図は、データ主電極３２ａ、およびデータ補助電極３２ｂの数珠形状の珠が、四角形である例を示している。なお、四角形の辺の長さの比は同図に示したものに限られない。その他の構成部分については第１の実施の形態と同様であるため、説明を省略する。
【００５１】
（第２の実施の形態の効果）
第２の実施の形態によれば、第１の実施の形態と同様の効果を得ることができる。
【００５２】
［第３の実施の形態］
図８は、第３の実施の形態に係る画像表示媒体の電極構造の一部を示す平面図である。第３の実施の形態は、データ主電極３２ａ、およびデータ補助電極３２ｂの形状において第１の実施の形態と異なる。同図は、データ主電極３２ａ、およびデータ補助電極３２ｂの数珠形状の珠が、円である例を示している。なお、円は真円でなくてもよく、楕円であってもよい。その他の構成部分については第１の実施の形態と同様であるため、説明を省略する。
【００５３】
（第３の実施の形態の効果）
第３の実施の形態によれば、第１の実施の形態と同様の効果を得ることができる。
【００５４】
[他の実施の形態]
なお、本発明は、上記各実施の形態に限定されず、その要旨を変更しない範囲内で種々変形実施が可能である。例えば、上記実施の形態では、表面基板に表面側電極２２、背面基板に背面側電極３２を設けたが、これとは逆に、表面基板に背面側電極３２、背面基板に表面側電極２２を設けてもよい。また、単純マトリックス駆動に限らず、全面電極と画素電極、又は画素電極同士の組合せによるアクティブマトリックス駆動によって画像表示してもよい。また、表面に電極を設けずに外部に設けた電極に電圧を印加して基板間に電界を形成してもよい。
【００５５】
また、上記実施の形態では、数珠状電極（データ主電極３２ａおよびデータ補助電極３２ｂ）にデータ主信号およびデータ補助信号を供給し、帯状電極（表面側電極２２）に走査信号を供給するものとして説明したが、帯状電極にデータ信号、数珠状電極に走査信号を供給する構成であってもよい。この場合、例えば、表面側電極２２にデータ主信号、データ主電極３２ａに走査信号を走査して表示画像を表示するステップと、表面側電極２２にデータ補助信号、データ補助電極３２ｂに走査信号を走査して表示画像の濃度を補完するステップにより画像表示媒体１を動作させる。
【００５６】
また、上記実施の形態では、１つのセル４が１つの画素に対応するが、これに限定されず、複数のセル４で１つの画素を構成してもよく、１つのセル４に複数の画素が含まれる構成でもよい。また、画像表示媒体がＲＧＢ又はＣＭＹの３色を１画素としてカラー表示する場合、セル４は１つの画素を３色の領域にそれぞれ区画するものとしてもよい。
【００５７】
また、仕切り部材は、複数のセル毎に太いものを用いてもよい。これにより、必要な強度を確保することができる。
【図面の簡単な説明】
【００５８】
【図１】本発明の第１の実施の形態に係る画像表示媒体を示す断面図である。
【図２】本発明の第１の実施の形態に係る画像表示媒体の電極構造の一部を示す平面図である。
【図３】本発明の第１の実施の形態に係る画像表示媒体の電極構造の一部を示す断面図である。
【図４】本発明の第１の実施の形態に係る１つの画素に対応するデータ主電極から発生する電界の方向を表す平面図である。
【図５】本発明の第１の実施の形態に係る１つの画素に対応するデータ主電極から発生する電界の方向を表す側面図である。
【図６Ａ】（ａ）〜（ｃ）は、本発明の第１の実施の形態に係る画像表示媒体の画像書込み動作時における部分拡大図（６×６＝３６画素分）である。
【図６Ｂ】（ｄ）〜（ｅ）は、本発明の第１の実施の形態に係る画像表示媒体の画像書込み動作時における部分拡大図（６×６＝３６画素分）である。
【図７】本発明の第２の実施の形態に係る画像表示媒体の電極構造の一部を示す平面図である。
【図８】本発明の第３の実施の形態に係る画像表示媒体の電極構造の一部を示す平面図である。
【符号の説明】
【００５９】
１  画像表示媒体
２  表面基板
２１  表面基板部材
２２  表面側電極
２３  誘電体膜
３  背面基板
３１  背面基板部材
３２  背面側電極
３２ａ  データ主電極
３２ｂ  データ補助電極
３３  誘電体膜
４  セル
５  仕切り部材
６  帯電性粒子
６Ａ  白色粒子
６Ｂ  黒色粒子
７  接着剤
８  電圧印加部
９  制御部
１０  画像記憶部
【図１】
2007279353.tif 000003
【図２】
2007279353.tif 000004
【図３】
2007279353.tif 000005
【図４】
2007279353.tif 000006
【図５】
2007279353.tif 000007
【図６Ａ】
2007279353.tif 000008
【図６Ｂ】
2007279353.tif 000009
【図７】
2007279353.tif 000010
【図８】
2007279353.tif 000011